(57)【特許請求の範囲】
【請求項１】
カードに印刷するためのインクジェットプリンタにおいて、
カード（１１）に印刷するための少なくとも１つのインクジェットプリントヘッド（５１）であって、第１の沸点を有する有機溶媒からなる媒体、前記第１の沸点よりも高い第２の沸点を有する有機溶媒からなる補助溶媒、および前記媒体に溶解する着色成分を含有するインクを収容するリザーバ（５２）に結合された少なくとも１つのインクジェットプリントヘッド（５１）と、
経路（Ｘ）に沿って前記インクジェットプリントヘッド（５１）を駆動するようになされている駆動系（５４）と、
インク射出を命令するために前記インクジェットプリントヘッド（５１）に作用すると共に、前記インクジェットプリントヘッド（５１）の移動を制御するために前記駆動系（５４）に作用する制御ユニット（５５）と、を含む印刷ステーション（５０）を備え、
前記経路（Ｘ）が、前記インクジェットプリントヘッド（５１）が前記カード（１１）に面する１つまたは複数の第１の位置（Ｐ１）と、第１の放出容器（５６）が配置される第２の位置（Ｐ２）と、第２の放出容器（５７）が配置される第３の位置（Ｐ３）と、前記インクジェットプリントヘッド（５１）が使用されていないときに位置する休止位置（ＲＰ）とを含み、
前記第２の位置（Ｐ２）は、前記経路（Ｘ）の第１の端（Ｘ１）に定められ、
前記休止位置（ＲＰ）は、前記経路（Ｘ）の第２の端（Ｘ２）に定められ、
前記第３の位置（Ｐ３）は、前記第２の位置（Ｐ２）と前記休止位置（ＲＰ）との間に定められ、
前記１つまたは複数の第１の位置（Ｐ１）は、前記第２の位置（Ｐ２）と前記第３の位置（Ｐ３）との間に定められ、
前記インクジェットプリントヘッド（５１）が、前記休止位置（ＲＰ）から前記第２の位置（Ｐ２）に移動して、前記インクを前記第１の放出容器（５６）に射出し、
前記インクジェットプリントヘッド（５１）が、前記１つまたは複数の第１の位置（Ｐ１）に移動して前記インクを前記カード（１１）上に射出する前に、前記第１の放出容器（５６）および前記第２の放出容器（５７）のうちの一方で前記インクを射出し、前記インクを前記カード（１１）上に射出した後に、前記第１の放出容器（５６）および前記第２の放出容器（５７）のうちの他方で前記インクを射出する、
インクジェットプリンタ。
【請求項２】
前記印刷ステーション（５０）は、前記インクジェットプリントヘッド（５１）がスライド可能に取り付けられた支持プレート（５３）をさらに備え、前記経路（Ｘ）は、前記支持プレート（５３）に沿って定められた、請求項１に記載のプリンタ。
【請求項３】
前記カードは、熱可塑性材料で構成された、請求項１または２に記載のプリンタ。
【請求項４】
前記熱可塑性材料は、ポリ塩化ビニル、無機充填剤で満たされたポリ塩化ビニル、ラミネートポリ塩化ビニル、アクリロニトリル・ブタジエン・スチレン・ターポリマー、ポリエチレンテレフタレート、ポリ乳酸からなる群の中で選択される、請求項３に記載のプリンタ。
【請求項５】
前記媒体は、１２０℃より低い沸騰温度を有する、請求項１〜４のいずれか一項に記載のプリンタ。
【請求項６】
前記媒体は、アルコール類の群の中で選択される、請求項１〜５のいずれか一項に記載のプリンタ。
【請求項７】
前記補助溶媒は、１２０℃より高い沸騰温度を有する、請求項１〜６のいずれか一項に記載のプリンタ。
【請求項８】
前記補助溶媒は、プラスチック材料を溶かすことができる、請求項１〜７のいずれか一項に記載のプリンタ。
【請求項９】
カードにインクジェット印刷する方法であって、
カード（１１）を用意するステップと、
前記カード（１１）に印刷するためのインクジェットプリントヘッド（５１）を用意するステップであって、前記インクジェットプリントヘッド（５１）は、第１の沸点を有する有機溶媒からなる媒体、前記第１の沸点よりも高い第２の沸点を有する有機溶媒からなる補助溶媒、および前記媒体に溶解する着色成分を含有するインクを収容するリザーバ（５２）に結合される、インクジェットプリントヘッド（５１）を用意するステップと、
経路（Ｘ）に沿って前記インクジェットプリントヘッド（５１）を駆動するステップと、
前記インクジェットプリントヘッド（５１）によるインク射出を命令するステップと
を含み、
前記経路（Ｘ）が、前記インクジェットプリントヘッド（５１）が前記カード（１１）に面する１つまたは複数の第１の位置（Ｐ１）と、第１の放出容器（５６）が配置される第２の位置（Ｐ２）と、第２の放出容器（５７）が配置される第３の位置（Ｐ３）と、前記インクジェットプリントヘッド（５１）が使用されていないときに位置する休止位置（ＲＰ）とを含み、
前記第２の位置（Ｐ２）は、前記経路（Ｘ）の第１の端（Ｘ１）に定められ、
前記休止位置（ＲＰ）は、前記経路（Ｘ）の第２の端（Ｘ２）に定められ、
前記第３の位置（Ｐ３）は、前記第２の位置（Ｐ２）と前記休止位置（ＲＰ）との間に定められ、
前記１つまたは複数の第１の位置（Ｐ１）は、前記第２の位置（Ｐ２）と前記第３の位置（Ｐ３）との間に定められ、
前記インクジェットプリントヘッド（５１）が、前記休止位置（ＲＰ）から前記第２の位置（Ｐ２）に移動して、前記インクを前記第１の放出容器（５６）に射出し、
前記インクジェットプリントヘッド（５１）が、前記１つまたは複数の第１の位置（Ｐ１）に移動して前記インクを前記カード（１１）上に射出する前に、前記第１の放出容器（５６）および前記第２の放出容器（５７）のうちの一方で前記インクを射出し、前記インクを前記カード（１１）上に射出した後に、前記第１の放出容器（５６）および前記第２の放出容器（５７）のうちの他方で前記インクを射出する、
方法。
【発明の詳細な説明】
【技術分野】
【０００１】
本発明は、カードに印刷するためのインクジェットプリンタに関する。
特に、本発明は、例えば、クレジットカード、スマートカード、磁気カード等などのプラスチック材料で構成されるカードに印刷するために使用することができる。
【背景技術】
【０００２】
知られているように、通常、これらのカードは、使用者がカードの目的を識別し、各カードを他のカードと区別するのに役立つ署名、イメージ、商標が記載される。
そのようなカードを印刷するために、出願人は、低沸点の有機溶媒からなる媒体、高沸点の有機溶媒からなる補助溶媒、および媒体に溶解する着色成分を含有する特定のインクが用いられ得ることを見出した。
【０００３】
これらの種類のインクは、極めて素早く蒸発する。
したがって、インク射出後のとても短い時間の後に、乾燥したインクの一部が、ノズルプレート、特にノズル内で検出され得る。
【０００４】
このノズルによってその後に射出されたインク液滴は、これらの乾燥したインクの一部に命中し、それに応じてインクの方向を変える。このことは、印刷されるカードの期待した箇所にインク液滴が着地せず、したがって印刷動作の結果が所望したものとは異なるので、印刷品質の観点で問題を引き起こす。
【発明の概要】
【発明が解決しようとする課題】
【０００５】
本発明の目的は、素早く蒸発するインクを用いるときに高品質の印刷結果を得ることができるカードに印刷するためのインクジェットプリンタを提供することである。
本発明の別の目的は、期待した結果に近い印刷結果を得ることができるカードに印刷するためのインクジェットプリンタを提供することである。
【課題を解決するための手段】
【０００６】
これらおよび他の目的は、本明細書に添付された特許請求の範囲によるカードに印刷するためのインクジェットプリンタによって実現される。
さらなる特徴および利点は、本発明の非排他的な好ましい実施形態の説明から明らかになろう。
【０００７】
本説明は、添付図面を参照して以下に与えられる。
【図面の簡単な説明】
【０００８】
【図１】本発明によるプリンタの概略斜視図である。
【図２】図１のプリンタの一部の細部を示す図である。
【図３】図２の細部の異なる図である。
【図４】図１のプリンタのいくつかの構成要素を概略的に示す構成図である。
【図５】図１のプリンタのいくつかの構成要素を概略的に示す構成図である。
【発明を実施するための形態】
【０００９】
添付図面において、参照符号１は、本発明によるインクジェットプリンタを示す。
プリンタ１は、クレジットカード、スマートカード、磁気カード等のようなカードに対するインクジェット印刷に適している。
【００１０】
好ましくは、プリンタ１（図１）は、１つまたは複数のカードが保管される保管区域１０を備える。
好ましくは、このカードは、熱可塑性材料で構成される。
【００１１】
特に、熱可塑性材料は、ポリ塩化ビニル（ＰＶＣ）、無機充填剤で満たされたポリ塩化ビニル（ＰＶＣ）、ラミネートポリ塩化ビニル（ＰＶＣ）、アクリロニトリル・ブタジエン・スチレン（ＡＢＳ）ターポリマー、ポリエチレンテレフタレート（ＰＥＴ）、グリコール変性ポリエチレンテレフタレート（ＰＥＴ−Ｇ）、ポリ乳酸（ＰＬＡ）からなる群の中で選択することができる。
【００１２】
ラミネートポリ塩化ビニルは、無機充填剤で満たされたポリ塩化ビニルの中央層、および中央層のそれぞれの表面ごとに施された一対の透明ポリ塩化ビニルフィルムによって形成される。
【００１３】
好ましくは、カードは、平面視で実質的に長方形形状を有する実質的に板状の形状を有し、この長方形形状は、より大きい辺およびより小さい辺を有する。
好ましくは、より大きい辺は、８０ｍｍから９０ｍｍの間に含まれる長さ、特に８５．７ｍｍに実質的に等しい長さを有する。
【００１４】
好ましくは、より小さい辺は、５０ｍｍから６０ｍｍの間に含まれる長さ、特に５４ｍｍに実質的に等しい長さを有する。
好ましくは、板状の形状は、０．４ｍｍから０．８ｍｍの間、特に０．５ｍｍから０．７６ｍｍの間に含まれる厚さを有する。
【００１５】
好ましくは、カードの寸法は、ＩＳＯ７８１０の規格、および／またはＣＲ８０の規格に従っている。
好ましくは、プリンタ１は、保管区域１０からカード１１を抜き取るようになされている抜き取りステーション２０またはピッキングステーションを含む。
【００１６】
抜き取りステーション２０は、保管区域１０から１回に１枚のカードを取り出し、そのカードを支持キャリッジ４０に置く。
プリンタ１の働きを管理する制御ユニットの適切な命令に基づいて、キャリッジ４０は、抜き取りステーション２０の近くのその開始位置から印刷ステーション５０における印刷位置へ移動する。
【００１７】
印刷ステーション５０（図２から図５）は、カード１１にインクジェット印刷をするための少なくとも１つのインクジェットプリントヘッド５１を備える。
プリントヘッド５１は、インクを収容するリザーバ５２に少なくとも結合される。このインクは、
−  低沸点の有機溶媒からなる媒体または媒剤、
−  高沸点の有機溶媒からなる補助溶媒、
−  媒体に溶解する着色成分
を含有する。
【００１８】
好ましくは、媒剤は、１２０℃より低い、特に８０℃より低い沸騰温度を有する。
好ましくは、媒剤は、アルコール類の群の中で選択される。
例えば、媒剤は、エタノール、ｎ−プロパノール、ｎ−ブタノールであってもよい。
【００１９】
媒剤は、インクの様々な成分を溶かし、インクバブルの形成を持続するという役目がある。
好ましくは、補助溶媒は、１２０℃より高い、特に１５０℃より高い沸騰温度を有する。
【００２０】
好ましくは、補助溶媒は、プラスチック材料、特にカードの熱可塑性材料を溶かすまたは増やすことができる。
好ましくは、補助溶媒は、媒剤に溶解する。
【００２１】
例えば、補助溶媒は、Ｎ−メチル−２−ピロリドン、Ｎ−エチル−２−ピロリドン、１，３−ジメチル−イミダゾリジノン、ε−カプロラクトン、γ＿ブチロラクトン、グリコールエーテルのようなもの、エチレングリコールモノメチルエーテル、ジエチレングリコールモノブチルエーテル、トリエチレングリコールモノメチルエーテル、エステルのようなもの、乳酸エチル、酢酸エチル、またはそれらの混合物からなる群の中で選択することができる。
【００２２】
好ましくは、着色成分は、媒剤に溶解する。
この分脈および以下の特許請求の範囲では、用語「溶解する」は、少なくとも１０％ｗ／ｗの媒剤の溶解性を示す。
【００２３】
好ましくは、着色成分は、染料インデックス用語（Ｃｏｌｏｕｒ  Ｉｎｄｅｘ  ｔｅｒｍｉｎｏｌｏｇｙ）に従っていわゆる溶媒ファミリー（Ｓｏｌｖｅｎｔ  ｆａｍｉｌｙ）に属する。
【００２４】
好ましくは、着色成分は、カードと一体になり、最適な印刷を得るように、カードを作製するプラスチック材料に溶けることができる物質である。
例えば、着色成分は、ソルベントブラック２９、ソルベントブラック２７、ソルベントブルー６７、ソルベントブルー４４、ソルベントブルー７０、ソルベントイエロー８２、ソルベントイエロー８８、ソルベントレッド１２５、ソルベントレッド１２２からなる群の中で選択することができる。
【００２５】
好ましくは、インクは、カード上でのインクの分布の均一性を改善するために、例えば、均染剤などの１つまたは複数の添加剤も含む。
例えば、そのような添加剤には、シリコン誘導体を含み得る。
【００２６】
図２に概略的に示される好ましい実施形態では、プリントヘッド５１は、２つのリザーバ５２に結合される。
印刷ステーション５０は、プリントヘッド５１によって射出されたインクがカード１１に衝突する第１の動作条件ＯＣ１と、プリントヘッド５１によって射出されたインクがカード１１に衝突しない少なくとも第２の動作条件ＯＣ２（図４）との間でプリントヘッド５１を駆動するようになされている駆動系５４（図５）を備える。
【００２７】
好ましくは、駆動系５４は、電気モータ５４ａと、モータ５４ａをプリントヘッド５１に接続する運動学的連結部５４ｂとを備える。
好ましくは、駆動系５４は、経路Ｘに沿ってプリントヘッド５１を移動させるようにプリントヘッド５１に作用する。
【００２８】
好ましくは、第１の動作条件ＯＣ１および第２の動作条件ＯＣ２は、前記経路Ｘに対して定められる。
好ましくは、印刷ステーション５０は、プリントヘッド５１のための支持プレート５３をさらに備える。
【００２９】
図１に概略的に示されるように、支持プレート５３は、キャリッジ４０の経路Ｐを横切る方向に従って向けられる。実際には、キャリッジ４０が、矢印Ｐによって示される方向に沿って移動し、支持プレート５３は、そのような方向を横切り、好ましくはそのような方向に垂直である。
【００３０】
印刷動作中、キャリッジ４０は、図１に示される位置に位置せず、そのような位置は、キャリッジ４０が、抜き取りステーション２０からカード１１を受け取る位置であることに留意されたい。
【００３１】
印刷ステップが行われなければならないとき、（カード１１が上に配置される）キャリッジ４０は、カード１１が、図２および図４に概略的に示される位置にあるように、支持プレート５３の実質的に下方にある異なる位置に移動する。
【００３２】
支持プレートは、プリンタ１のフレーム２に取り付けられる。
好ましくは、プリントヘッド５１は、支持プレート５３にスライド可能に取り付けられる。
【００３３】
駆動系５４は、印刷動作中、カード１１上へインクを射出しながら、プリントヘッド５１を支持プレート５３に沿って前後に移動させるようになされている。好ましくは、経路Ｘは、前記支持プレート５３上に定められる。
【００３４】
印刷ステーション５０は、プリントヘッド５１のインク射出を命令するためにプリントヘッド５１に作用する制御ユニット５５をさらに備える。
好ましくは、制御ユニット５５は、印刷されるデータ／画像が記憶される記憶装置（図示せず）と、記憶したデータを印刷するためにプリントヘッド５１に向けて適切な命令信号を発生させる動作モジュールとを備える。
【００３５】
制御ユニット５５は、前記プリントヘッド５１の移動を制御するために前記駆動系５４にも作用する。
特に、制御ユニット５５は、第１の動作条件ＯＣ１におけるインク射出前に、第２の動作条件ＯＣ２においてプリントヘッド５１のインク射出を命令するように構成される。好ましくは、第１の動作条件ＯＣ１における毎度のインク射出の走査の前に、第２の動作条件ＯＣ２におけるプリントヘッド５１のインク射出は生じる。
【００３６】
より詳細には、プリントヘッド５１が、カード１１に何かを印刷するように、ある走査幅またはキャリッジパスでカード１１の上へインクを射出しなければならないたびに、制御ユニット５５は、プリントヘッド５１に作用し、第２の動作条件ＯＣ２において先立つインク射出を命じる。実際の印刷ステップが行われる前に、プリントヘッド５１のノズル内に蓄積される乾燥したインクの可能性がある堆積物または一部は除去され、それによって印刷のために射出されるインクが所望の方向に従い、実際に、印刷結果が期待したものになるようになる。
【００３７】
好ましくは、第１の動作条件ＯＣ１において、プリントヘッド５１は、カード１１に面する。特に、プリントヘッド５１のノズルプレートは、カード１１に面し、前記ノズルを通じて射出されるインクが、カードの上に乗るようになっている。
【００３８】
好ましくは、第２の動作条件ＯＣ２において、プリントヘッドは、カード１１に面さない。
好ましくは、第１の動作条件ＯＣ１は、経路Ｘ上にプリントヘッド５１の１つまたは複数の第１の位置Ｐ１（図４）を含む。特に、（１つまたは複数の）第１の位置は、支持プレート５３上に定められる。
【００３９】
第１の位置Ｐ１において、プリントヘッド５１（特に、プリントヘッド５１のノズル）は、カード１１に面する。第１の動作条件ＯＣ１は、単一の印刷動作中、プリントヘッド５１が、例えば、カード１１に対してある走査幅で移動できるので、複数の第１の位置Ｐ１を含むことができ、プリントヘッド５１が第２の動作条件ＯＣ２へ駆動される前に、それぞれの異なる第１の位置Ｐ１において、２つ以上の射出が起こるようになっている。
【００４０】
好ましくは、第２の動作条件ＯＣ２は、経路Ｘ上にプリントヘッド５１の第２の位置Ｐ２（図４）を少なくとも含む。特に、第２の位置Ｐ２は、支持プレート５３上に定められる。
【００４１】
第２の位置Ｐ２では、プリントヘッド５１、特にプリントヘッド５１のノズルは、カード１１に面さない。したがって、第２の位置Ｐ２で射出されるインクは、カード１１に衝突しない。
【００４２】
好ましくは、印刷ステーション５０は、プリントヘッド５１が、第２の動作条件ＯＣ２においてインクを射出する放出容器５６を少なくとも備える。
好ましくは、第２の動作条件ＯＣ２は、経路Ｘ上にプリントヘッド５１の第３の位置Ｐ３（図４）をさらに含む。特に、第３の位置Ｐ３は、支持プレート５３上に定められる。
【００４３】
好ましくは、（１つまたは複数の）第１の位置Ｐ１は、第２の位置Ｐ２と第３の位置Ｐ３との間に介在される。他の観点では、第２の位置Ｐ２および第３の位置Ｐ３は、第１の位置Ｐ１に対して両側にある。
【００４４】
好ましくは、印刷ステーション５０は、プリントヘッド５１が第３の位置Ｐ３にあるときにプリントヘッド５１がインクを射出する第２の放出容器５７をさらに備える。
好ましくは、経路Ｘは、第１の端Ｘ１および第２の端Ｘ２を有する。
【００４５】
好ましい実施形態では、第２の位置（Ｐ２）は、経路Ｘの第１の端Ｘ１で定められる。
したがって、図４に概略的に示されるように、
−  経路Ｘの第１の端に定められた第２の位置Ｐ２、
−  （１つまたは複数の）第１の位置Ｐ１、
−  第３の位置Ｐ３、
−  経路Ｘの第２の端Ｘ２にある、プリントヘッド５１が使用されていないときに位置する位置である休止位置ＲＰ
は、経路Ｘに沿って（図では、最も左の端から最も右の端へ）整然と定められる。
【００４６】
好ましくは、第１の放出容器５６は、プリントヘッド５１の第２の位置Ｐ２に配置される。
特に、第１の放出容器５６は、経路Ｘの第１の端Ｘ１に配置される。
【００４７】
使用時、制御ユニット５５は、以下のステップ、すなわち、
−  プリントヘッド５１は、第２の位置Ｐ２に移動させられ、所定の量のインクが、ノズルを一掃するように第１の放出容器５６で射出され、
−  次いで、プリントヘッド５１は、（１つまたは複数の）第１の位置Ｐ１へ移動させられ、典型的にはある走査幅で、インクがカード１１上へ射出され、
−  次いで、プリントヘッド５１は、第３の位置Ｐ３に移動させられ、所定の量のインクが、第２の放出容器５７に放出され、
−  次いで、プリントヘッド５１が、典型的には先の走査の方向とは反対の方向にさらなる走査幅だけ、カード１１上への別の射出のために（１つまたは複数の）第１の位置Ｐ１へ移動させられる、
ことを行うためにプリントヘッド５１および駆動系５４に作用する。
【００４８】
上記のステップは、カードの印刷が終了するまで何度も繰り返すことができる。
本発明は、重要な利点を実現することができる。
本発明によるプリンタは、素早く蒸発するインクを用いても、高品質の印刷結果を得ることができる。
【００４９】
別の利点は、本発明によるプリンタが、期待した結果に極めて近い印刷結果を得ることができるということにある。
（参考発明１）
カードに印刷するためのインクジェットプリンタにおいて、
カード（１１）に印刷するための少なくとも１つのインクジェットプリントヘッド（５１）であって、低沸点の有機溶媒からなる媒体、高沸点の有機溶媒からなる補助溶媒、および前記媒体に溶解する着色成分を含有するインクを収容するリザーバ（５２）に結合された少なくとも１つのインクジェットプリントヘッド（５１）と、
前記プリントヘッド（５１）によって射出された前記インクが前記カード（１１）に衝突する第１の動作条件（ＯＣ１）と、前記プリントヘッド（５１）によって射出された前記インクが前記カード（１１）に衝突しない少なくとも第２の動作条件（ＯＣ２）との間で、前記プリントヘッド（５１）を駆動するようになされている駆動系（５４）と、
前記インク射出を命令するために前記プリントヘッド（５１）に作用すると共に、前記プリントヘッド（５１）の移動を制御するために前記駆動系（５４）に作用する制御ユニット（５５）であって、前記第１の動作条件（ＯＣ１）でのインク射出前に、前記第２の動作条件（ＯＣ２）にインク射出を命令するように構成された、制御ユニット（５５）と、を含む印刷ステーション（５０）を備えたインクジェットプリンタ。
（参考発明２）
前記駆動系（５４）は、経路（Ｘ）に沿って前記プリントヘッド（５１）を移動させるように前記プリントヘッド（５１）に作用し、前記第１の動作条件（ＯＣ１）および第２の動作条件（ＯＣ２）は、前記経路（Ｘ）状に定められた、参考発明１に記載のプリンタ。
（参考発明３）
前記第１の動作条件（ＯＣ１）でのインク射出は、前記経路（Ｘ）に沿った前記プリントヘッドの走査の間に生じ、前記第２の動作条件（ＯＣ２）での前記プリントヘッドの射出は、前記第１の動作条件での毎度のインク射出の走査の前に生じる、参考発明２に記載のプリンタ。
（参考発明４）
前記第１の動作条件（ＯＣ１）は、前記経路（Ｘ）上に１つまたは複数の第１の位置（Ｐ１）を含み、前記第２の動作条件（ＯＣ２）は、前記経路（Ｘ）上に少なくとも第２の位置（Ｐ２）を含む、参考発明２または３に記載のプリンタ。
（参考発明５）
前記第１の動作条件（ＯＣ１）での前記プリントヘッド（５１）は、印刷される前記カード（１１）に面する、参考発明１乃至４のいずれか一項に記載のプリンタ。
（参考発明６）
前記第２の動作条件（ＯＣ２）での前記プリントヘッド（５１）は、印刷される前記カード（１１）に面しない、参考発明１乃至５のいずれか一項に記載のプリンタ。
（参考発明７）
前記第２の動作条件（ＯＣ２）は、前記経路（Ｘ）上に第３の位置（Ｐ３）をさらに含む、参考発明４乃至６のいずれか一項に記載のプリンタ。
（参考発明８）
前記１つまたは複数の第１の位置（Ｐ１）は、前記経路（Ｘ）上の前記第２の位置（Ｐ２）と前記第３の位置（Ｐ３）との間に介在する、参考発明７に記載のプリンタ。
（参考発明９）
前記印刷ステーション（５０）は、前記プリントヘッド（５１）が前記第２の動作条件（ＯＣ２）においてインクを射出する第１の放出容器（５６）を少なくともさらに備えた、参考発明１乃至８のいずれか一項に記載のプリンタ。
（参考発明１０）
前記印刷ステーション（５０）は、第２の放出容器（５７）をさらに備え、前記第２の位置（Ｐ２）で前記プリントヘッド（５１）は、前記第１の放出容器（５６）に面し、前記第３の位置（Ｐ３）で前記プリントヘッド（５１）は、前記第２の放出容器（５７）に面する、参考発明７および９に記載のプリンタ。
（参考発明１１）
前記印刷ステーション（５０）は、前記プリントヘッド（５１）がスライド可能に取り付けられた支持プレート（５３）をさらに備え、前記経路（Ｘ）は、前記支持プレート（５３）に沿って定められた、参考発明１乃至１０のいずれか一項に記載のプリンタ。
（参考発明１２）
前記第２の位置（Ｐ２）は、前記経路（Ｘ）の端（Ｘ１）に定められた、参考発明４、および参考発明５乃至１１のいずれか一項に記載のプリンタ。
（参考発明１３）
前記カードは、熱可塑性材料で構成された、参考発明１乃至１２のいずれか一項に記載のプリンタ。
（参考発明１４）
前記熱可塑性材料は、ポリ塩化ビニル、無機充填剤で満たされたポリ塩化ビニル、ラミネートポリ塩化ビニル、アクリロニトリル・ブタジエン・スチレン・ターポリマー、ポリエチレンテレフタレート、ポリ乳酸からなる群の中で選択される、参考発明１３に記載のプリンタ。
（参考発明１５）
前記カード（１１）は、平面視で実質的に長方形形状を有する実質的に板状の形状を有し、前記長方形形状は、より大きい辺およびより小さい辺を有する、参考発明１乃至１４のいずれか一項に記載のプリンタ。
（参考発明１６）
前記より大きい辺は、８０ｍｍから９０ｍｍの間に含まれる長さを有する、参考発明１５に記載のプリンタ。
（参考発明１７）
前記より小さい辺は、５０ｍｍから６０ｍｍの間に含まれる長さを有する、参考発明１５または１６に記載のプリンタ。
（参考発明１８）
前記板状の形状は、０．４ｍｍから０．８ｍｍの間に含まれる厚さを有する、参考発明１５乃至１７のいずれか一項に記載のプリンタ。
（参考発明１９）
前記媒体は、１２０℃より低い、好ましくは８０℃より低い沸騰温度を有する、参考発明１乃至１８のいずれか一項に記載のプリンタ。
（参考発明２０）
前記媒体は、アルコール類の群の中で選択される、参考発明１乃至１９のいずれか一項に記載のプリンタ。
（参考発明２１）
前記補助溶媒は、１２０℃より高い、好ましくは１５０℃より高い沸騰温度を有する、参考発明１乃至２０のいずれか一項に記載のプリンタ。
（参考発明２２）
前記補助溶媒は、プラスチック材料を溶かすまたは増やすことができる、参考発明１乃至２１のいずれか一項に記載のプリンタ。
（参考発明２３）
カードにインクジェット印刷する方法であって、
カード（１１）を用意するステップと、
前記カード（１１）に印刷するためのインクジェットプリントヘッド（５１）を用意するステップであって、前記プリントヘッド（５１）は、低沸点の有機溶媒からなる媒体、高沸点の有機溶媒からなる補助溶媒、および前記媒体に溶解する着色成分を含有するインクを収容するリザーバ（５２）に結合される、インクジェットプリントヘッド（５１）を用意するステップと、
前記プリントヘッド（５１）によって射出された前記インクが前記カード（１１）に衝突する第１の動作条件（ＯＣ１）と、前記プリントヘッド（５１）によって射出された前記インクが前記カード（１１）に衝突しない少なくとも第２の動作条件（ＯＣ２）との間で、前記プリントヘッド（５１）を駆動するステップと、
前記第１の動作条件（ＯＣ１）における射出前に、前記第２の動作条件（ＯＣ２）にて、前記プリントヘッドが、インクを射出するように、前記プリントヘッド（５１）によるインク射出を命令するステップと
を含む方法。
（参考発明２４）
前記第１の動作条件（ＯＣ１）と第２の動作条件（ＯＣ２）との間で前記プリントヘッド（５１）を駆動する前記ステップは、前記第１の動作条件（ＯＣ１）と第２の動作条件（ＯＣ２）とが定められる経路（Ｘ）に沿って前記プリントヘッド（５１）を移動させるステップを含む、参考発明２３に記載の方法。
（参考発明２５）
前記第１の動作条件（ＯＣ１）におけるインク射出は、前記経路（Ｘ）に沿って前記プリントヘッドの走査の間に生じ、前記第２の動作条件（ＯＣ２）での前記プリントヘッドの射出は、前記第１の動作条件での毎度のインク射出の走査の前に生じる、参考発明２４に記載の方法。
（参考発明２６）
前記第１の動作条件（ＯＣ１）は、前記経路（Ｘ）上に１つまたは複数の第１の位置（Ｐ１）を含み、前記第２の動作条件（ＯＣ２）は、前記経路（Ｘ）上に少なくとも第２の位置（Ｐ２）を含む、参考発明２４または２５に記載の方法。
（参考発明２７）
前記第１の動作条件（ＯＣ１）における前記プリントヘッド（５１）は、印刷される前記カード（１１）に面する、参考発明２３乃至２６のいずれか一項に記載の方法。
（参考発明２８）
前記第２の動作条件（ＯＣ２）における前記プリントヘッド（５１）は、印刷される前記カード（１１）に面しない、参考発明２３乃至２７のいずれか一項に記載の方法。
（参考発明２９）
前記第２の動作条件（ＯＣ２）は、前記経路（Ｘ）上に第３の位置（Ｐ３）をさらに含む、参考発明２６に記載の方法。
（参考発明３０）
前記第１の位置（Ｐ１）は、前記経路（Ｘ）上の前記第２の位置（Ｐ２）と前記第３の位置（Ｐ３）との間に介在する、参考発明２９に記載の方法。
（参考発明３１）
前記プリントヘッド（５１）が前記第２の動作条件（ＯＣ２）にてインクを射出する第１の放出容器（５６）を少なくとも用意するステップをさらに含む、参考発明２３乃至３０のいずれか一項に記載の方法。
（参考発明３２）
第２の放出容器（５７）をさらに備え、前記第２の位置（Ｐ２）にて、前記プリントヘッド（５１）は前記第１の放出容器（５６）に面し、前記第３の位置（Ｐ３）にて、前記プリントヘッド（５１）は前記第２の放出容器（５７）に面する、参考発明３１に記載の方法。
（参考発明３３）
前記プリントヘッド（５１）がスライド可能に取り付けられる支持プレート（５３）を用意するステップをさらに含み、前記経路（Ｘ）は、前記支持プレート（５３）に沿って定められる、参考発明２３乃至３２のいずれか一項に記載の方法。
【図１】
0005899563.tif 000002
【図２】
0005899563.tif 000003
【図３】
0005899563.tif 000004
【図４】
0005899563.tif 000005
【図５】
0005899563.tif 000006